(57)【要約】【課題】空気清浄機において、就寝時に通常モード時より風量を下げる動作とすると、空気清浄能力も下がってしまい、ほこりやハウスダストが残ったまま就寝してしまう。【解決手段】送風部６、吹出ルーバー４の運転を制御する制御部８を設けた空気清浄機において、この制御部８は“通常モード”および“就寝モード”を有する。“就寝モード”開始時は、制御部８から風量Ｖ１でファンモータを回転させ、所定時間Ｔ１経過後、Ｖ１＞Ｖ２となる所定の風量Ｖ２でファンモータを回転させることで、就寝するまでの時間に部屋をきれいにし、就寝時には静かな空気清浄動作とできる。【選択図】図４
2016023886.tif 000002
【特許請求の範囲】
【請求項１】
吸込口と吹出口を備えると共に、前記吸込口と前記吹出口とを連通する通風路を有する本体と、
前記吸込口から前記通風路に室内空気を吸い込む送風手段と、
前記通風路に設けられ、吸い込まれた空気を通過させる空気浄化手段と、
前記送風手段の制御を行う制御部を備えた空気清浄機において、
前記制御部には、所定の風量Ｖ１で所定時間Ｔ１運転した後、前記風量Ｖ１よりも小さな風量Ｖ２で運転する就寝モードを備えた空気清浄機。
【請求項２】
前記吹出口には、吹出し方向を前後に変更する吹出ルーバーを設け、
前記制御部は、
前記吹出ルーバーの吹出し方向を変更する指示を行い、
前記就寝モードにおいて、風量Ｖ１の時には、吹出し方向を前後に往復運動させ、風量Ｖ２の時には、吹出し方向を上方に固定する請求項１記載の空気清浄機。
【請求項３】
前記制御部には、使用者が設定変更する設定手段を設け、
前記設定手段の操作によって、前記就寝モードにおいて風量Ｖ１で運転する時間を設定変更する請求項１または２記載の空気清浄機。
【請求項４】
前記制御部には、使用者が設定変更する設定手段を設け、
前記設定手段の操作によって、前記風量Ｖ１、Ｖ２を変更することができる請求項１〜３いずれかひとつに記載の空気清浄機。
【請求項５】
前記制御部には、照度センサを接続し、
前記制御部は、前記就寝モードを指示された後、前記照度センサによる明るさレベルが所定値以下で所定時間Ｔ２継続したときに風量Ｖ２での動作に移る請求項１記載の空気清浄機。
【発明の詳細な説明】
【技術分野】
【０００１】
本発明は、一般家庭や事務所等で使用される空気清浄機で、就寝時に使用される動作に関するものである。
【背景技術】
【０００２】
従来、送風機能のあるエアコンなどの空気調和機は、就寝（おやすみ運転）モードを使用者が選択すると、通常時より風量を下げたり、使用者が設定した就寝時用風量に変更するものが知られている。（例えば、特許文献１参考）
以下、上記空気調和機の動作について図７〜９を参照しながら説明する。
【０００３】
室内に空気を送出する送風ファン２１３を備える空気調和機の制御方法であって、おやすみ運転開始指示部３１２からのおやすみ運転開始指示に基づいておやすみ運転を開始するおやすみ運転開始手順（Ｓ１−１）と、前記おやすみ運転中に、前記送風ファンの回転速度を変更する制御手順（Ｓ１−２）とを備えることを特徴とする空気調和機の制御方法である。
【０００４】
これにより、就寝時にうるさくなく、寝入りやすい風量で就寝できるメリットがある。
【先行技術文献】
【特許文献】
【０００５】
【特許文献１】特開２０１１−２５２６５５号公報
【発明の概要】
【発明が解決しようとする課題】
【０００６】
しかしながら、上記のような空気調和機における「おやすみ運転」を空気清浄機に搭載した場合には、以下のような課題がある。
【０００７】
すなわち、「おやすみ運転」の開始時から風量を下げてしまうため、空気清浄効果も下がってしまい、寝室中にほこりやハウスダストが残ったまま就寝してしまうという課題がある。
【０００８】
そこで本発明は、上記従来の課題を解決するものである。使用者が“就寝モード（おやすみ運転）”開始してから実際に就寝するまでは一定時間あることに注目し、“就寝モード”開始時からは一定時間ほこりやハウスダストを取る動作をし、寝入ったころに、使用者に風のあたらない静かなモードとすることにより、就寝前に部屋をきれいにし、就寝しやすい空気清浄機を提供することを目的とする。
【課題を解決するための手段】
【０００９】
そして、この目的を達成するために、本発明は、吸込口と吹出口を備えると共に、前記吸込口と前記吹出口とを連通する通風路を有する本体と、前記吸込口から前記通風路に室内空気を吸い込む送風手段と、前記通風路に設けられ、吸い込まれた空気を通過させる空気浄化手段と、前記送風手段の制御を行う制御部を備えた空気清浄機において、
前記制御部には、所定の風量Ｖ１で所定時間Ｔ１運転した後、前記風量Ｖ１よりも小さな風量Ｖ２で運転する就寝モードを備えたものである。
【発明の効果】
【００１０】
本発明によれば、使用者が就寝前に空気清浄機を就寝モードで起動することによって、
寝入るまでの間（数分〜十数分）に部屋をきれいにすることができる。そして、寝入り前後ではそのきれいな状態をキープしつつ静かな空気清浄運転とできるため、使用者がより室内空気のきれいな状態でしずかに眠れるという効果を得ることができる。
【図面の簡単な説明】
【００１１】
【図１】本発明の空気清浄機を示す外観図
【図２】同空気清浄機の断面構成図
【図３】本発明第１の実施の形態のブロック図
【図４】本発明第１の実施の形態の制御を示すフローチャート
【図５】本発明第２の実施の形態のブロック図
【図６】本発明第２の実施の形態の制御を示すフローチャート
【図７】従来の空気調和機の一実施形態のシステム全体を示す構成図
【図８】従来の空気調和機の一実施形態のリモコンのブロック構成図
【図９】従来の空気調和機の一実施形態の室内機の制御部のおやすみ運転時の処理フローチャート
【発明を実施するための形態】
【００１２】
本発明の請求項１記載の空気清浄機は、吸込口と吹出口を備えると共に、前記吸込口と前記吹出口とを連通する通風路を有する本体と、前記吸込口から前記通風路に室内空気を吸い込む送風手段と、前記通風路に設けられ、吸い込まれた空気を通過させる空気浄化手段と、前記送風手段の制御を行う制御部を備えた空気清浄機において、前記制御部には、所定の風量Ｖ１で所定時間Ｔ１運転した後、前記風量Ｖ１よりも小さな風量Ｖ２で運転する就寝モードを備える。
【００１３】
これにより、使用者が就寝前に空気清浄機を就寝モードで起動することによって、寝入るまでの間（数分〜十数分）に部屋をきれいにすることができる。そして、寝入り前後ではそのきれいな状態をキープしつつ静かな空気清浄運転とできるため、使用者がより室内空気のきれいな状態でしずかに眠れるという効果を得ることができる。
【００１４】
また、さらに前記吹出口には、吹出し方向を前後に変更する吹出ルーバーを設け、前記制御部は、前記吹出ルーバーの吹出し方向を変更する指示を行い、前記就寝モードにおいて、風量Ｖ１の時には、吹出し方向を前後に往復運動させ、風量Ｖ２の時には、吹出し方向を上方に固定する構成にしてもよい。
【００１５】
これにより、ルーバーを動かすことで室内空気が動くので、さらに寝入り前の空気清浄能力が高まり、広い部屋をきれいにできる、もしくは短時間できれいにでき、また寝入り後はルーバーを上方向にすることにより、風が寝ている使用者にあたらないようルーバーのスイング音もせずしずかに空気清浄でき、より就寝しやすい環境にできるという効果を有する。
【００１６】
また、さらに前記制御部には、使用者が設定変更する設定手段を設け、前記設定手段の操作によって、前記就寝モードにおいて風量Ｖ１で運転する時間を設定変更する構成にしてもよい。
【００１７】
これにより、就寝までの時間に個人差がある場合にも対応できる。
【００１８】
また、さらに前記制御部には、使用者が設定変更する設定手段を設け、前記設定手段の操作によって、前記風量Ｖ１、Ｖ２を変更することができる構成にしてもよい。
【００１９】
これにより、就寝前後で適切な風量に個人差がある場合にも対応できる。
また、さらに前記制御部には、照度センサを接続し、前記制御部は、前記就寝モードを指示された後、前記照度センサによる明るさレベルが所定値以下で所定時間Ｔ２継続したときに風量Ｖ２での動作に移る、とするという構成にしてもよい。
【００２０】
これにより、部屋が暗くなって使用者が眠り始めてから一定時間でしずかな動作に遷移させることができるので、より寝入りタイミングにあった制御とできるという効果を有する。
【００２１】
以下、本発明の実施の形態について図面を参照しながら説明する。
【００２２】
（実施の形態１）
図１、２に示すように、本実施の形態による空気清浄機は、空気清浄機本体１に吸入口２と、吹出口３を設け、吸入口２と、吹出口３とを連通する通風路７を有している。この通風路７には、吸入口２と、吹出口３の間に空気清浄のためのフィルタなどの空気浄化部９と、風量を変更するファンなどの送風部６が設けられている。さらに、吹出口３付近には、送風方向をかえる吹出ルーバー４と、天面に部屋の明るさ量を取得する照度センサ１０が設けられている。そして、前記送風部６、吹出ルーバー４の運転を制御する制御部８が設けられている。
【００２３】
制御部８には、各種スイッチを備えた操作パネルが設けられており、使用者は、この操作パネルの操作によって、制御部８に対して、送風部６の運転風量、後述する運転モードなどの指示を行うようになっている。
【００２４】
図３に示すように、制御部８は、出力制御部３１とタイマ部５１とで構成されている。使用者は、操作パネルの操作によって、運転モード（“通常モード”または“就寝モード”）を出力制御部３１に対して指示する。出力制御部３１は、指示された運転モードに応じ、タイマ部５１から時間経過をみながら、送風部６と吹出ルーバー４の制御を行う。
【００２５】
出力制御部３１の動作についてさらに詳しく説明する。図４に示すように、この出力制御部３１は、使用者が寝る前に“就寝モード”を指定し空気清浄機を動作したとき（Ｓ６１）、強めの風量Ｖ１（例えば２．３ｍ３／ｍｉｎ）を送風部６に指定する（Ｓ６２）。同時に、吹出ルーバー４に対して前後にスイングする指示をする。この運転は、所定の時間Ｔ１の間継続する。この所定の時間Ｔ１とは、寝入るまでの標準的な時間、あるいは使用している部屋の空気を十分浄化できる時間を指定する。すなわち、６畳部屋を風量Ｖ１運転できれいにするのにかかる時間、例えば１５分を設定する。
【００２６】
その後、所定の時間Ｔ１経過後（Ｓ６４）、就寝中に気にならない静かな風量Ｖ２（例えば２９ｄＢ以下）を送風部６に指定する（Ｓ６５）。同時に、吹出ルーバー４に対して上方向に固定させる指示を行う。
【００２７】
使用者が、“通常モード”を指定した場合、出力制御部３１は、使用者が設定した風量を送風部６に指示することになる（Ｓ６３）。
【００２８】
なお、就寝中の風量制御に関しては、ほこり・ガスセンサを使って、汚れが少ないときは風量Ｖ２をさらに下げる、もしくは停止させる制御とすると、就寝前動作で部屋がきれいになっていれば、さらに静音動作とできる。
【００２９】
このように、本実施の形態における空気清浄機は、使用者が就寝モードを指示すると、寝付くまでの時間帯には、大きな風量Ｖ１で運転し、寝付いた後には小さな風量Ｖ２で運転する。就寝モード中のそれぞれの運転には、以下の作用・効果がある。
【００３０】
寝付くまでの時間帯における風量Ｖ１運転では、使用者が寝るまでの起きている間に多少うるさくても、強めの風量で部屋のハウスダストやほこりをすばやく除去し、部屋をきれいにする。
【００３１】
また、寝付くまでの時間帯において吹出ルーバー４をスイングさせることによって、部屋内の空気を動かし、すばやく部屋をきれいにすることができる。この間、使用者はまだ寝付く前なので、多少風があたっても問題とはならない。
【００３２】
寝付く頃以降の風量Ｖ２運転では、所定時間Ｔ１経過後、すなわち、使用者が寝入るころにしずかな動作となり、部屋のきれいさをキープしつつ、睡眠のじゃまにならない送風音となる。
【００３３】
また、寝付く頃以降の時間帯で吹出ルーバー４を上方に固定することによって、しずかな運転にし、上方に風をおくることにより就寝している使用者に風があたらずに、ゆっくり部屋の空気を循環させ、部屋のきれいさと就寝しやすさを両立させることができる。
【００３４】
（実施の形態２）
図５に、第２の実施の形態の空気清浄機の制御部８のブロック図を示す。第２の実施の形態による空気清浄機の制御部８は、第１の実施の形態の構成に照度センサ１０からの明るさ入力を出力制御部３１に加えたものである。
【００３５】
図６は、第２の実施の形態による制御部８のフローを示すフローチャートである。第１の実施の形態と同様、出力制御部３１は、使用者が寝る前に“就寝モード”を指定し空気清浄機を動作したとき（Ｓ９１）、強めの風量Ｖ１（例えば２．３ｍ３／ｍｉｎ）を送風部６に指定する（Ｓ９２）。同時に、吹出ルーバー４に対して前後にスイングする指示をする。この運転は、照度センサ１０による明るさレベルが所定の値以下、すなわち暗状態が所定の時間Ｔ２経過するまでの間継続する（Ｓ９４）。その後、送風部６に対し、Ｖ１＞Ｖ２となる風量Ｖ２での運転を指示し、同時に、吹出ルーバー４に対して上方向に固定させる指示を行う。
【００３６】
これにより、就寝前の動作中に部屋の明るさをチェックし、一定値以下（例えば寝室で就寝時の一般的な明るさの２０ルクス値以下、など）となってから一定時間Ｔ２（例えば部屋を暗くしてから眠くなるまでの平均時間を５分とする、など）で就寝時動作とできる（Ｓ９０）。このように、就寝モードにしてからすぐに暗くして寝る人にとって風量Ｖ１での動作時間を短くできる。そして、より就寝前後に風量Ｖ２動作とできる。
【００３７】
また、実施の形態１で用いた所定の時間Ｔ１と照度センサ１０による明るさレベルを用いた制御を同時に使用することも可能である。その場合は、所定の時間Ｔ１、Ｔ２どちらかはやく経過した時点で風量Ｖ２での運転動作にうつることになる。これにより、部屋を暗くしてはやく就寝した場合はＴ２で、ある程度明るいまま就寝してしまった場合も時間Ｔ１経過で風量Ｖ２での運転動作となり、より使用者の使い方にあった動作とできる。
【００３８】
また、就寝までの時間や就寝前風量、就寝後風量を使用者が設定することで、より個人差にあわせた就寝モードとできる。
【産業上の利用可能性】
【００３９】
本発明にかかる空気清浄機は、就寝しやすい環境をつくることができるものであり、家庭用や事務所用の加湿機能付空気清浄機や空気調和機、エアコンにも適用できる。
【符号の説明】
【００４０】
１  空気清浄機本体
２  吸入口
３  吹出口
４  吹出ルーバー
５  前面パネル
６  送風部
７  通風路
８  制御部
９  空気浄化部
１０  照度センサ
３１  出力制御部
５１  タイマ部
【図１】
2016023886.tif 000003
【図２】
2016023886.tif 000004
【図３】
2016023886.tif 000005
【図４】
2016023886.tif 000006
【図５】
2016023886.tif 000007
【図６】
2016023886.tif 000008
【図７】
2016023886.tif 000009
【図８】
2016023886.tif 000010
【図９】
2016023886.tif 000011